(57)【特許請求の範囲】
【請求項１】
室内の低所に設置される空気調和機の室内機であって、
冷房運転サイクルにおいて蒸発器として機能する利用側熱交換器（６）と凝縮器として機能する再熱用熱交換器（７Ａ）とが、該再熱用熱交換器（７Ａ）がファン（５）の送風方向において上記利用側熱交換器（６）よりも下流側に位置するように配置されるとともに、
上記ファン（５）の吹出側に上方へ指向する上面吹出口（３）と側方へ指向する側面吹出口（４）とが設けられる一方、
上記ファン（５）の吸込側に上記利用側熱交換器（６）が配置されるとともに、上記ファン（５）の吹出側には上記再熱用熱交換器（７Ａ）が上記上面吹出口（３）に臨んで配置されていることを特徴とする空気調和機の室内機。
【請求項２】
室内の低所に設置される空気調和機の室内機であって、
冷房運転サイクルにおいて蒸発器として機能する利用側熱交換器（６）と凝縮器として機能する再熱用熱交換器（７Ｂ）とが、該再熱用熱交換器（７Ｂ）がファン（５）の送風方向において上記利用側熱交換器（６）よりも下流側に位置するように配置されるとともに、
上記ファン（５）の吹出側に上方へ指向する上面吹出口（３）と側方へ指向する側面吹出口（４）とが設けられる一方、
上記ファン（５）の吸込側に上記利用側熱交換器（６）が配置されるとともに、上記ファン（５）の吹出側には上記再熱用熱交換器（７Ｂ）が上記側面吹出口（４）に臨んで配置されていることを特徴とする空気調和機の室内機。
【請求項３】
室内の低所に設置される空気調和機の室内機であって、
冷房運転サイクルにおいて蒸発器として機能する利用側熱交換器（６）と凝縮器として機能する再熱用熱交換器（７Ａ），（７Ｂ）とが、該再熱用熱交換器（７Ａ），（７Ｂ）がファン（５）の送風方向において上記利用側熱交換器（６）よりも下流側に位置するように配置されるとともに、
上記ファン（５）の吹出側に上方へ指向する上面吹出口（３）と側方へ指向する側面吹出口（４）とが設けられる一方、
上記ファン（５）の吸込側に上記利用側熱交換器（６）が配置されるとともに、上記ファン（５）の吹出側には上記再熱用熱交換器（７Ａ），（７Ｂ）が上記上面吹出口（３）と上記側面吹出口（４）にそれぞれ臨んで配置されていることを特徴とする空気調和機の室内機。
【請求項４】
請求項１，２又は３において、
上記利用側熱交換器（６）と上記再熱用熱交換器（７Ａ），（７Ｂ）の何れか一方又は双方が、偏平伝熱管（３１）とコルゲートフィン（３２）とを順次積層し且つ該各偏平伝熱管（３１）の両端をそれぞれヘッダー（３３），（３４）で接続してなる積層型熱交換器（３０）で構成されていることを特徴とする空気調和機の室内機。
【請求項５】
請求項１，２又は３において、
上記再熱用熱交換器（７Ａ），（７Ｂ）に代えて、ヒーター（１５）を備えたことを特徴とする空気調和機の室内機。
【発明の詳細な説明】
【０００２】
【発明の属する技術分野】
【０００３】
本願発明は、空気調和機の室内機に関し、さらに詳しくは、例えば室内の窓とか壁面近傍の室内低所に設置されて窓等からの輻射熱の侵入を可及的に抑制しつつ室内居住域の快適な空調を実現するようにした空気調和機の室内機に関するものである。
【従来の技術】
【０００４】
従来より、空気調和機においては、特に冷房運転時における快適性を高めるために、冷房運転サイクルにおいて圧縮機の能力とかファン風量を絞ることで室内空気の湿度を低下させる除湿運転を行うことが知られている。また、このような除湿運転における運転方式として、室内空気を冷却して除湿し、そのままこれを室内へ吹き出す通常の「ドライ運転」と、室内空気を冷却して除湿した後、さらにこれを吸込温度近くまで再熱して室内へ吹き出す「再熱ドライ運転」とが知られており、且つこれら両方式は壁掛型室内機をもつ空気調和機においては従来から採用されている。
【発明が解決しようとする課題】
【０００５】
ところが、空気調和機でも、特に室内機を室内床面上等の室内低所に設置する低所設置型室内機を備えた空気調和機においては、除湿運転方式として上記両方式の何れが最適であるかについては未だ提案されていない。
【０００６】
ここで、仮に、除湿運転方式として通常の「ドライ運転」を採用した場合には、熱交換器での熱交換によって冷却され且つ同時に除湿された空気がそのまま室内へ吹き出されるので、この吹出空気の冷気が床面近くに溜まり、足元が「冷気溜まり」となって除湿運転時における快適性が大きく損なわれるという問題が発生することになる。
【０００７】
そこで本願発明は、室内の低所に設置される空気調和機の室内機において、特に冷房運転サイクルでの除湿運転時における快適性の向上を図ることを主たる目的とし、併せて、暖房運転サイクルでのドライ運転をも可能とすることを目的としてなされたものである。
【課題を解決するための手段】
【０００８】
本願発明ではかかる課題を解決するための具体的手段として次のような構成を採用している。
【０００９】
本願の第１の発明では、室内の低所に設置される空気調和機の室内機において、冷房運転サイクルにおいて蒸発器として機能する利用側熱交換器６と凝縮器として機能する再熱用熱交換器７Ａとを、該再熱用熱交換器７Ａがファン５の送風方向において上記利用側熱交換器６よりも下流側に位置するように配置するとともに、上記ファン５の吹出側に上方へ指向する上面吹出口３と側方へ指向する側面吹出口４とを設ける一方、上記ファン５の吸込側に上記利用側熱交換器６を配置するとともに、上記ファン５の吹出側には上記再熱用熱交換器７Ａを上記上面吹出口３に臨んで配置したことを特徴としている。
【００１０】
本願の第２の発明では、室内の低所に設置される空気調和機の室内機において、冷房運転サイクルにおいて蒸発器として機能する利用側熱交換器６と凝縮器として機能する再熱用熱交換器７Ｂとを、該再熱用熱交換器７Ｂがファン５の送風方向において上記利用側熱交換器６よりも下流側に位置するように配置するとともに、上記ファン５の吹出側に上方へ指向する上面吹出口３と側方へ指向する側面吹出口４とを設ける一方、上記ファン５の吸込側に上記利用側熱交換器６を配置するとともに、上記ファン５の吹出側には上記再熱用熱交換器７Ｂを上記側面吹出口４に臨んで配置したことを特徴としている。
【００１１】
本願の第３の発明では、室内の低所に設置される空気調和機の室内機において、冷房運転サイクルにおいて蒸発器として機能する利用側熱交換器６と凝縮器として機能する再熱用熱交換器７Ａ，７Ｂとを、該再熱用熱交換器７Ａ，７Ｂがファン５の送風方向において上記利用側熱交換器６よりも下流側に位置するように配置するとともに、上記ファン５の吹出側に上方へ指向する上面吹出口３と側方へ指向する側面吹出口４とを設ける一方、上記ファン５の吸込側に上記利用側熱交換器６を配置するとともに、上記ファン５の吹出側には上記再熱用熱交換器７Ａ，７Ｂを上記上面吹出口３と上記側面吹出口４にそれぞれ臨んで配置したことを特徴としている。
【００１２】
本願の第４の発明では、上記第１、第２又は第３の発明に係る空気調和機の室内機において、上記利用側熱交換器６と上記再熱用熱交換器７Ａ，７Ｂの何れか一方又は双方を、偏平伝熱管３１とコルゲートフィン３２）とを順次積層し且つ該各偏平伝熱管３１の両端をそれぞれヘッダー３３，３４で接続してなる積層型熱交換器３０で構成したことを特徴としている。
【００１３】
本願の第５の発明では、上記第１、第２又は第３の発明に係る空気調和機の室内機において、上記再熱用熱交換器７Ａ，７Ｂに代えて、ヒーター１５を備えたことを特徴としている。
【発明の効果】
【００１４】
本願発明ではかかる構成とすることにより次のような効果が得られる。
【００１５】
（イ）  本願の第１の発明にかかる空気調和機の室内機では、室内の低所に設置される空気調和機の室内機において、冷房運転サイクルにおいて蒸発器として機能する利用側熱交換器６と凝縮器として機能する再熱用熱交換器７Ａとを、該再熱用熱交換器７Ａがファン５の送風方向において上記利用側熱交換器６よりも下流側に位置するように配置しているので、冷房運転サイクルでの除湿運転時には、上記ファン５によって室内から吸い込まれる室内空気は、先ず上記利用側熱交換器６を通過することで冷却と除湿とが行われた後、さらに上記再熱用熱交換器７Ａにおいて再熱されるので、室内機からの吹出空気は吸込温度を維持しつつ除湿のみが行われた空気となる。この結果、室内温度を維持しつつ除湿のみを行う「再熱ドライ運転」が実現され、従来のように床面近くの足元部分に冷気が溜まることが未然に且つ確実に抑制され、冷房運転サイクルでの除湿運転時における室内の快適性が格段に向上することになる。
【００１６】
さらに、上記ファン５の吹出側に上方へ指向する上面吹出口３と側方へ指向する側面吹出口４と設ける一方、上記ファン５の吸込側に上記利用側熱交換器６を配置するとともに、上記ファン５の吹出側には上記再熱用熱交換器７Ａを上記上面吹出口３に臨ませて配置しているので、上記ファン５の吸込側に位置する上記利用側熱交換器６による冷却と除湿が行われた空気は、該ファン５の吹出側において、その一部は上記上面吹出口３に臨んで配置された上記再熱用熱交換器７Ａにおいて再熱された後に該上面吹出口３から上方に向けて吹き出され、他の一部は再熱されることなくそのまま上記側面吹出口４から側方へ向けて吹き出されることになる。この結果、例えば上記側面吹出口４を閉塞するとか該側面吹出口４を壁面に対向させて配置して該側面吹出口４からの吹出量を抑えることで、室内には冷却と除湿の後に再熱された空気、即ち、吸込温度を維持しつつ湿度のみが低下された空気が吹き出され、これによって「再熱ドライ運転」が実現され、足元への冷気溜まりのない快適な除湿が可能となる。
【００１７】
また、この場合、上記上面吹出口３と上記側面吹出口４とから上方及び側方へ向けて、あるいは上記上面吹出口３のみから上方へ向けて吹き出される吹出空気によって室内機の上方から側方にかけての領域に、あるいは室内機の上方領域にエアバリアが形成されるので、例えば、室内機が窓際とか壁際の床面上に設置されている場合には、窓とか室壁部分からの輻射熱が室内の居住域に侵入するのが効果的に抑制され、冷房負荷の軽減が図られるとともに室内温度の変動が抑制され、「再熱ドライ運転」による快適性がより一層促進されることになる。
【００１８】
（ロ）  本願の第２の発明にかかる空気調和機の室内機では、室内の低所に設置される空気調和機の室内機において、冷房運転サイクルにおいて蒸発器として機能する利用側熱交換器６と凝縮器として機能する再熱用熱交換器７Ｂとを、該再熱用熱交換器７Ｂがファン５の送風方向において上記利用側熱交換器６よりも下流側に位置するように配置しているので、冷房運転サイクルでの除湿運転時には、上記ファン５によって室内から吸い込まれる室内空気は、先ず上記利用側熱交換器６を通過することで冷却と除湿とが行われた後、さらに上記再熱用熱交換器７Ｂにおいて再熱されるので、室内機からの吹出空気は吸込温度を維持しつつ除湿のみが行われた空気となる。この結果、室内温度を維持しつつ除湿のみを行う「再熱ドライ運転」が実現され、従来のように床面近くの足元部分に冷気が溜まることが未然に且つ確実に抑制され、冷房運転サイクルでの除湿運転時における室内の快適性が格段に向上することになる。
【００１９】
さらに、上記ファン５の吹出側に上方へ指向する上面吹出口３と側方へ指向する側面吹出口４とを設ける一方、上記ファン５の吸込側に上記利用側熱交換器６を配置するとともに、上記ファン５の吹出側には上記再熱用熱交換器７Ｂを上記側面吹出口４に臨ませて配置しているので、上記ファン５の吸込側に位置する上記利用側熱交換器６による冷却と除湿が行われた空気は、該ファン５の吹出側において、その一部は上記側面吹出口４に臨んで配置された上記再熱用熱交換器７Ｂにおいて再熱された後に該側面吹出口４から側方に向けて吹き出され、他の一部は再熱されることなくそのまま上記上面吹出口３から上方へ向けて吹き出されることになる。
【００２０】
この結果、上記側面吹出口４から吹き出される空気は吸込温度を維持したまま湿度のみが低下した空気であることから、室内温度を低下させずに湿度のみを低下させる「再熱ドライ運転」が実現される。また、上記上面吹出口３からは上記側面吹出口４からの吹出温度よりも低温の空気が吹き出され、この低温空気によって足元側の暖かい空気の浮上が抑制される。これら両者の相乗作用によって、足元に冷気溜まりを生じない快適な除湿が可能となる。
【００２１】
また、この場合、上記上面吹出口３と上記側面吹出口４とから上方及び側方へ向けて、あるいは上記上面吹出口３のみから上方へ向けて吹き出される吹出空気によって室内機の上方から側方にかけての領域に、あるいは室内機の上方領域にエアバリアが形成されるので、例えば室内機が窓際とか壁際の床面上に設置されている場合には、窓とか室壁部分からの輻射熱が室内の居住域に侵入するのが効果的に抑制され、冷房負荷の軽減が図られると共に、室内温度の変動が抑制され、「再熱ドライ運転」による快適性がより一層促進されることになる。
（ハ）  本願の第３の発明にかかる空気調和機の室内機では、室内の低所に設置される空気調和機の室内機において、冷房運転サイクルにおいて蒸発器として機能する利用側熱交換器６と凝縮器として機能する再熱用熱交換器７Ａ、７Ｂとを、該再熱用熱交換器７Ａ、７Ｂがファン５の送風方向において上記利用側熱交換器６よりも下流側に位置するように配置しているので、冷房運転サイクルでの除湿運転時には、上記ファン５によって室内から吸い込まれる室内空気は、先ず上記利用側熱交換器６を通過することで冷却と除湿とが行われた後、さらに上記再熱用熱交換器７Ａ、７Ｂにおいて再熱されるので、室内機からの吹出空気は吸込温度を維持しつつ除湿のみが行われた空気となる。この結果、室内温度を維持しつつ除湿のみを行う「再熱ドライ運転」が実現され、従来のように床面近くの足元部分に冷気が溜まることが未然に且つ確実に抑制され、冷房運転サイクルでの除湿運転時における室内の快適性が格段に向上することになる。
【００２２】
さらに、上記ファン５の吹出側に上方へ指向する上面吹出口３と側方へ指向する側面吹出口４とを設ける一方、上記ファン５の吸込側に上記利用側熱交換器６を配置するとともに、上記ファン５の吹出側には上記再熱用熱交換器７Ａ、７Ｂを上記上面吹出口３と上記側面吹出口４にそれぞれ臨ませて配置しているので、上記ファン５の吸込側に位置する上記利用側熱交換器６による冷却と除湿が行われた空気は、該ファン５の吹出側において、その一部は上記上面吹出口３に臨んで配置された上記再熱用熱交換器７Ａにおいて再熱された後に、他の一部は上記側面吹出口４に臨んで配置された上記再熱用熱交換器７Ｂにおいて再熱された後に、それぞれ上方及び側方に向けて吹き出される。この結果、室内温度を低下させずに湿度のみを低下させる「再熱ドライ運転」が実現され、足元に冷気溜まりを生じない快適な除湿が可能となる。
【００２３】
また、この場合、上記上面吹出口３からの吹出温度と上記側面吹出口４からの吹出温度とが同じであることから、居住域全体の温度低下がより効果的に防止されるとともに、上記上面吹出口３と上記側面吹出口４とからの吹出空気によって室内機の上方から側方にかけての領域にエアバリアが形成されて窓とか室壁部分からの幅射熱が室内の居住域に侵入するのが効果的に抑制されることとの相乗効果として、「再熱ドライ運転」による除湿時の快適性がより一層促進されることになる。
【００２４】
（ニ）  本願の第４の発明にかかる空気調和機の室内機によれば、上記第１、第２又は第３の発明にかかる空気調和機の室内機において、上記利用側熱交換器６と上記再熱用熱交換器７Ａ、７Ｂの何れか一方又は双方を、偏平伝熱管３１とコルゲートフィン３２とを順次積層し且つ該各偏平伝熱管３１の両端をそれぞれへッダー３３、３４で接続してなる積層型熱交換器３０で構成しているので、該積層型熱交換器３０には、熱交換効率が高く、同等の熱交換能力をもつクロスフィン型熱交換器よりもその厚さ寸法を小さくしてコンパクな形状とし得るという特性があることから、上記（イ）、（ロ）又は（ハ）に記載の効果に加えて、室内機のコンパクト化を促進し得るという効果が得られる。
【００２５】
（ホ）  本願の第５の発明にかかる空気調和機の室内機によれば、上記第１、第２又は第３の発明にかかる空気調和機の室内機において、上記再熱用熱交換器７Ａ、７Ｂに代えて、ヒーター１５を備えているので、上記利用側熱交換器６において冷却及び除湿された空気を上記ヒーター１５において再熱することで「再熱ドライ運転」を実現でき、上記（イ）、（ロ）又は（ハ）に記載の効果を、冷媒回路を用いない簡単且つ安価な構成によって達成でき、除湿運転時の快適性と低コスト化との両立が可能となるものである。
【発明の実施の形態】
【００２６】
以下、本願発明を幾つかの好適な実施形態に基づいて具体的に説明する。
【００２７】
図１には、本願発明がその対象とするセパレート型の空気調和機の室内機Ｚを示している。この室内機Ｚは、図１に示すように、室内の中でも特に空調負荷の高いペリメータゾーン、例えば窓部５３の下側壁面又は室内床面５１上に設置される低所設置型の室内機であって、その吹出空気によって窓部５３とか室壁５２の近傍のペリメータゾーンと居住域との間にエアバリヤを形成しつつ室内居住域の空調を行うとともに、特に除湿運転時における高い快適性を実現し得るものである。
【００２８】
上記室内機Ｚにおいては、壁面近傍の床面５１上等の低所設置に有利な矩形のケーシング１を備えるとともに、該ケーシング１の前面１ａには吸込口２を、上面１ｂには上面吹出口３を、左右両側面１ｃ，１ｃには側面吹出口４，４を、それぞれ設けている。そして、このケーシング１内には、左右一対の遠心式のファン５，５が、その吸込側を上記吸込口２に対向させた状態で横方向に所定間隔をもって並置されている。さらに、上記各ファン５，５の吸込側と上記吸込口２の間には、冷房運転サイクルにおいては蒸発器として、暖房運転においては凝縮器としてそれぞれ機能する利用側熱交換器６が、また上記ファン５の吹出側に臨む上記上面吹出口３と側面吹出口４のうち、該上面吹出口３側には第１再熱用熱交換器７Ａが、該側面吹出口４側には第２再熱用熱交換器７Ｂが、それぞれ配置されている。従って、上記各ファン５，５の運転に伴って上記吸込口２から吸い込まれる吸込空気Ａａは、上記利用側熱交換器６を通過した後、その一部はさらに上記第１再熱用熱交換器７Ａを通って上方吹出空気Ａｂとして上方へ吹き出され、他の一部は上記第２再熱用熱交換器７Ｂを通って側方吹出空気Ａｃとして側方へ吹き出されるようになっている。
【００２９】
尚、再熱用熱交換器に関しては、上記のように再熱用熱交換器が二つ備えられた場合にはこれらを「第１再熱用熱交換器７Ａ」と「第２再熱用熱交換器７Ｂ」として区別する一方、これが一つしか備えられない構成の場合には単に「再熱用熱交換器」と称する。
【００３０】
さらに、上述のように、上記上面吹出口３に上記第１再熱用熱交換器７Ａを、上記側面吹出口４に上記第２再熱用熱交換器７Ｂをそれぞれ備えた構成は、後述するように本願発明に係る室内機の一つの実施形態であって、本願発明は上面吹出口３と側面吹出口４とに対する再熱用熱交換器の配置構成、あるいは該再熱用熱交換器をヒーターに代えた構成に特徴をもつものであり、本件出願においては、以下の第１〜第５の実施形態を設定している。以下、これら各実施形態をそれぞれ個別に説明する。
【００３１】
（１） 第１の実施形態（図２〜図４参照）
第１の実施形態にかかる室内機Ｚ１は、図２に示すように、上記ケーシング１に設けられた上記吸込口２と上面吹出口３と左右一対の側面吹出口４，４のうち、上記吸込口２には上記ファン５の吸込側に位置するようにして利用側熱交換器６を、上記上面吹出口３には上記ファン５の吹出側に位置するようにして第１再熱用熱交換器７Ａを、さらに上記各側面吹出口４，４には上記ファン５の吹出側に位置するようにして第２再熱用熱交換器７Ｂを、それぞれ備えて構成される。
【００３２】
そして、冷房運転サイクルにおいては、上記利用側熱交換器６と上記第１再熱用熱交換器７Ａと上記第２再熱用熱交換器７Ｂの全てを蒸発器として機能させることで「冷房運転」を実現する一方、上記利用側熱交換器６を蒸発器とし、上記第１再熱用熱交換器７Ａと第２再熱用熱交換器７Ｂとを凝縮器としてそれぞれ機能させることで「再熱ドライ運転」を実現する。また、暖房運転サイクルにおいては、上記利用側熱交換器６と第１再熱用熱交換器７Ａと第２再熱用熱交換器７Ｂの全てを凝縮器として機能させることで「暖房運転」を実現する。以下、かかる運転を実現するための冷媒循環系の構成等について説明する。
【００３３】
図３には、この第１の実施形態に係る室内機Ｚ１を含む空気調和機全体の冷媒回路を示している。この冷媒回路は、室外機Ｚ０側に備えられた圧縮機９と四路切換弁１０と室外側熱交換器１１及び主膨張弁１２と、上記室内機Ｚ１側に備えられた上記利用側熱交換器６と第１再熱用熱交換器７Ａ及び第２再熱用熱交換器７Ｂとを冷媒管路で接続して構成されている。また、この実施形態においては、上記第１再熱用熱交換器７Ａと第２再熱用熱交換器７Ｂとを並列に接続するとともに、さらにこれら両者を補助膨張弁１３を介して上記利用側熱交換器６に対して直列に接続している。また、この場合、冷房運転サイクルにおいて、冷媒上流側に上記第１再熱用熱交換器７Ａと第２再熱用熱交換器７Ｂが、冷媒下流側に上記利用側熱交換器６が位置するように、これら各熱交換器６，７Ａ，７Ｂの冷媒回路における配置位置を設定している。
【００３４】
一方、上述の如き冷房運転サイクルでの「冷房運転」と「再熱ドライ運転」、及び暖房運転サイクルでの「暖房運転」の切り換えは、共に上記主膨張弁１２と補助膨張弁１３の作動形態の選択によって実現されるものであり、これら各膨張弁１２，１３の作動形態は以下の通りである。
【００３５】
「冷房運転」においては、上記主膨張弁１２を「絞り状態」に、上記補助膨張弁１３を「全開」にそれぞれ設定する。
【００３６】
「再熱ドライ運転」においては、上記主膨張弁１２を「全開」に、上記補助膨張弁１３を「絞り状態」にそれぞれ設定する。
【００３７】
「暖房運転」の運転においては、上記主膨張弁１２を「絞り状態」に、上記補助膨張弁１３を「全開」にそれぞれ設定する。
【００３８】
（ａ）  「冷房運転」
「冷房運転」においては、上述のように、上記主膨張弁１２が「絞り状態」に、上記補助膨張弁１３が「全開」に設定されるので、上記利用側熱交換器６と第１再熱用熱交換器７Ａと第２再熱用熱交換器７Ｂは共に蒸発器として機能し、高い冷房能力をもつ運転が実現される。
【００３９】
（ｂ）  「再熱ドライ運転」
「再熱ドライ運転」においては、上述のように、上記主膨張弁１２が「全開」に、上記補助膨張弁１３が「絞り状態」に設定されるので、上記第１再熱用熱交換器７Ａと第２再熱用熱交換器７Ｂが共に凝縮器として機能し、上記利用側熱交換器６のみが蒸発器として機能する。従って、図４に示すように、吸込空気Ａａは、先ずその全量が上記利用側熱交換器６を通過することで冷却されるとともに除湿される。さらに、この冷却され且つ除湿された空気の一部は上記第１再熱用熱交換器７Ａにおいて再熱されたのち、比較的高温の上方吹出空気Ａｂとして上記上面吹出口３から上方へ吹き出される。また、他の一部は、上記第２再熱用熱交換器７Ｂにおいて再熱されたのち、比較的高温の側方吹出空気Ａｃとして上記側面吹出口４，４から側方へ吹き出される。
【００４０】
この場合、上方吹出空気Ａｂ及び側方吹出空気Ａｃは、それぞれ上記第１再熱用熱交換器７Ａ及び第２再熱用熱交換器７Ｂでの再熱によって吸込温度を維持していることから、室温をほとんど下げることなく除湿を行う「再熱ドライ運転」が実現され、除湿運転に伴って居住領域の床面側が冷気溜まりとなるということもなく、冷房運転サイクルでの除湿運転時における快適性が格段に向上するものである。
【００４１】
「暖房運転」
「暖房運転」においては、上述のように、上記主膨張弁１２が「絞り状態」に、上記補助膨張弁１３が「全開」に設定されるので、上記利用側熱交換器６と第１再熱用熱交換器７Ａと第２再熱用熱交換器７Ｂが共に凝縮器として機能し、高い暖房能力をもつ運転が実現される。
【００４２】
（２） 第２の実施形態（図５〜図７参照）
第２の実施形態にかかる室内機Ｚ２は、図５に示すように、上記ケーシング１に設けられた上記吸込口２と上面吹出口３と左右一対の側面吹出口４，４のうち、上記吸込口２には上記ファン５の吸込側に位置するようにして利用側熱交換器６を、上記上面吹出口３には上記ファン５の吹出側に位置するようにして再熱用熱交換器７Ａを、それぞれ備える一方、上記各側面吹出口４，４には熱交換器を備えない構成とされている。
【００４３】
そして、冷房運転サイクルにおいては、上記利用側熱交換器６と上記再熱用熱交換器７Ａとを蒸発器として機能させることで「冷房運転」を実現する一方、上記利用側熱交換器６を蒸発器として、上記再熱用熱交換器７Ａを凝縮器として、それぞれ機能させることで「再熱ドライ運転」を実現する。また、暖房運転サイクルにおいては、上記利用側熱交換器６と再熱用熱交換器７Ａとを凝縮器として機能させることで「暖房運転」を実現する。以下、かかる運転を実現するための冷媒循環系の構成等について説明する。
【００４４】
図６には、この第２の実施形態に係る室内機Ｚ２を含む空気調和機全体の冷媒回路を示している。この冷媒回路は、室外機Ｚ０側に備えられた圧縮機９と四路切換弁１０と室外側熱交換器１１及び主膨張弁１２と、上記室内機Ｚ２側に備えられた上記利用側熱交換器６と再熱用熱交換器７Ａとを冷媒管路で接続して構成されている。また、この実施形態においては、上記利用側熱交換器６と上記再熱用熱交換器７Ａとを補助膨張弁１３を介して直列に接続するとともに、冷房運転サイクルにおいて、冷媒上流側に上記再熱用熱交換器７Ａが、冷媒下流側に上記利用側熱交換器６が、それぞれ位置するようにこれら両者の冷媒回路における配置位置を設定している。
【００４５】
一方、上述の如き冷房運転サイクルでの「冷房運転」と「再熱ドライ運転」、及び暖房運転サイクルでの「暖房運転」の切り換えは、共に上記主膨張弁１２と補助膨張弁１３の作動形態の選択によって実現されるものであり、これら各膨張弁１２，１３の作動形態は以下の通りである。
【００４６】
「冷房運転」においては、上記主膨張弁１２を「絞り状態」に、上記補助膨張弁１３を「全開」にそれぞれ設定する。
【００４７】
「再熱ドライ運転」においては、上記主膨張弁１２を「全開」に、上記補助膨張弁１３を「絞り状態」にそれぞれ設定する。
【００４８】
「暖房運転」においては、上記主膨張弁１２を「絞り状態」に、上記補助膨張弁１３を「全開」にそれぞれ設定する。
【００４９】
続いて、上記各運転形態における動作等をそれぞれ個別に説明する。
【００５０】
（ａ）  「冷房運転」
「冷房運転」においては、上述のように、上記主膨張弁１２が「絞り状態」に、上記補助膨張弁１３が「全開」に設定されるので、上記利用側熱交換器６と再熱用熱交換器７Ａとが共に蒸発器として機能し、高い冷房能力をもつ運転が実現される。
【００５１】
（ｂ）  「再熱ドライ運転」
「再熱ドライ運転」においては、上述のように、上記主膨張弁１２が「全開」に、上記補助膨張弁１３が「絞り状態」に設定されるので、上記利用側熱交換器６は蒸発器として機能するが、上記再熱用熱交換器７Ａは凝縮器として機能する。従って、図７に示すように、吸込空気Ａａは、先ずその全量が上記利用側熱交換器６を通過することで冷却されるとともに除湿される。さらに、この冷却され且つ除湿された空気のうち、その一部はそのまま上記側面吹出口４，４から比較的低温の側方吹出空気Ａｃとして側方へ吹き出されるが、他の一部はさらに上記再熱用熱交換器７Ａにおいて再熱されたのち、比較的高温の上方吹出空気Ａｂとして上記上面吹出口３から上方へ吹き出される。
【００５２】
この場合、上方吹出空気Ａｂは、上記再熱用熱交換器７Ａにおいて再熱されていることから、室温を大きく下げずに除湿を行う「再熱ドライ運転」が実現され、除湿運転に伴って居住領域の床面側が冷気溜まりとなるということもなく、冷房運転サイクルでの除湿運転時における快適性が格段に向上するものである。
【００５３】
尚、この「再熱ドライ運転」の運転においては、上記側面吹出口４，４には熱交換器が備えられていないので、例えば該側面吹出口４，４を閉塞したり、壁に対向させて設置して該側面吹出口４，４を機能的に無効としたりすることも可能であり、かかる構成とした場合には、吸込空気Ａａはその全てが上記第１熱交換器６Ａと再熱用熱交換器７Ａとを通過して上記上面吹出口３から上方吹出空気Ａｂとして上方へ吹き出される。従って、上記側面吹出口４，４から比較的低温の側方吹出空気Ａｃが側方へ吹き出されて室内床面の近傍に冷気が溜まるということが確実に防止され、上記「再熱ドライ運転」の効果がさらに高められることになる。
【００５４】
「暖房運転」の運転
「暖房運転」の運転においては、上述のように、上記主膨張弁１２が「絞り状態」に、上記補助膨張弁１３が「全開」に設定されるので、上記利用側熱交換器６と再熱用熱交換器７Ａとが共に凝縮器として機能し、高い暖房能力をもつ運転が実現される。
【００５５】
（３） 第３の実施形態（図８〜図１０参照）
第３の実施形態にかかる室内機Ｚ３は、図８に示すように、上記ケーシング１に設けられた上記吸込口２と上面吹出口３と左右一対の側面吹出口４，４のうち、上記吸込口２には上記ファン５の吸込側に位置するようにして利用側熱交換器６を、上記側面吹出口４，４には上記ファン５の吹出側に位置するようにして再熱用熱交換器７Ｂを、それぞれ備える一方、上記上面吹出口３には熱交換器を備えない構成とされている。
【００５６】
そして、冷房運転サイクルにおいては、上記利用側熱交換器６と上記再熱用熱交換器７Ｂとを蒸発器として機能させることで「冷房運転」を実現する一方、上記利用側熱交換器６を蒸発器として、上記再熱用熱交換器７Ｂを凝縮器として、それぞれ機能させることで「再熱ドライ運転」を実現する。また、暖房運転サイクルにおいては、上記利用側熱交換器６と再熱用熱交換器７Ｂとを凝縮器として機能させることで「暖房運転」を実現する。以下、かかる運転を実現するための冷媒循環系の構成等について説明する。
【００５７】
図９には、この第３の実施形態に係る室内機Ｚ３を含む空気調和機全体の冷媒回路を示している。この冷媒回路は、室外機Ｚ０側に備えられた圧縮機９と四路切換弁１０と室外側熱交換器１１及び主膨張弁１２と、上記室内機Ｚ３側に備えられた上記利用側熱交換器６と再熱用熱交換器７Ｂとを冷媒管路で接続して構成されている。そして、上記利用側熱交換器６と上記第２再熱用熱交換器７Ｂとを補助膨張弁１３を介して直列に接続するとともに、冷房運転サイクルにおいて、冷媒上流側に上記再熱用熱交換器７Ｂが、冷媒下流側に上記利用側熱交換器６が、それぞれ位置するようにこれら各熱交換器６，７Ｂの配置位置を設定している。
【００５８】
一方、上述の如き冷房運転サイクルでの「冷房運転」と「再熱ドライ運転」、及び暖房運転サイクルでの「暖房運転」の切り換えは、共に上記主膨張弁１２と補助膨張弁１３の作動形態の選択によって実現されるものであり、これら各膨張弁１２，１３の作動形態は以下の通りである。
【００５９】
「冷房運転」においては、上記主膨張弁１２を「絞り状態」に、上記補助膨張弁１３を「全開」にそれぞれ設定する。
【００６０】
「再熱ドライ運転」においては、上記主膨張弁１２を「全開」に、上記補助膨張弁１３を「絞り状態」にそれぞれ設定する。
【００６１】
「暖房運転」においては、上記主膨張弁１２を「絞り状態」に、上記補助膨張弁１３を「全開」にそれぞれ設定する。
【００６２】
続いて、上記各運転形態における動作等をそれぞれ個別に説明する。
【００６３】
（ａ）  「冷房運転」
「冷房運転」においては、上述のように、上記主膨張弁１２が「絞り状態」に、上記補助膨張弁１３が「全開」に設定されるので、上記利用側熱交換器６と再熱用熱交換器７Ｂとが共に蒸発器として機能し、高い冷房能力をもつ運転が実現される。
【００６４】
（ｂ）  「再熱ドライ運転」
「再熱ドライ運転」においては、上述のように、上記主膨張弁１２が「全開」に、上記補助膨張弁１３が「絞り状態」に設定されるので、上記利用側熱交換器６は蒸発器として機能するが、上記再熱用熱交換器７Ｂは凝縮器として機能する。従って、図１０に示すように、吸込空気Ａａは、先ずその全量が上記利用側熱交換器６を通過することで冷却されるとともに除湿される。さらに、この冷却され且つ除湿された空気のうち、その一部はそのまま上記上面吹出口３から比較的低温の上方吹出空気Ａｂとして上方へ吹き出されるが、他の一部はさらに上記再熱用熱交換器７Ｂにおいて再熱されたのち、比較的高温の側方吹出空気Ａｃとして上記側面吹出口４から側方へ吹き出される。
【００６５】
この場合、側方吹出空気Ａｃは、上記再熱用熱交換器７Ｂにおいて再熱されることから、室温を大きく下げずに除湿を行う「再熱ドライ運転」が実現されるとともに、室内床面近くの上記側面吹出口４，４から比較的冷却の側方吹出空気Ａｃが吹き出されることで、除湿運転に伴って居住領域の床面側が冷気溜まりとなるということがなく、冷房運転サイクルでの除湿運転時における快適性が格段に向上するものである。
【００６６】
「暖房運転」
「暖房運転」においては、上述のように、上記主膨張弁１２が「絞り状態」に、上記補助膨張弁１３が「全開」に設定されるので、上記利用側熱交換器６と再熱用熱交換器７Ｂとが共に凝縮器として機能し、高い暖房能力をもつ運転が実現される。
【００６７】
（４） 第４の実施形態
図２２には、本願発明の第４の実施形態にかかる室内機Ｚ４における熱交換器の配置構造を示している。この室内機Ｚ４は、上記第１の実施形態にかかる室内機Ｚ１と基本構成を同じにするものであって、これと異なる点は上記第１の実施形態にかかる室内機Ｚ１においては利用側熱交換器６と第１再熱用熱交換器７Ａ及び第２再熱用熱交換器７Ｂを共にクロスフィン型熱交換器で構成していたのに対して、該各再熱用熱交換器７Ａ，７Ｂを共に積層型熱交換器３０で構成したものである。
【００６８】
ここで、積層型熱交換器３０は、複数本の偏平伝熱管３１，３１，・・と複数枚のコルゲートフィン３２，３２，・・とを交互に積層するとともに、該各偏平伝熱管３１，３１，・・の両端をそれぞれヘッダー３３，３４によって接続してなる。そして、この積層型熱交換器３０のクロスフィン型熱交換器と比べての最大の特徴は、より薄い形態で同一の熱交換能力を実現できる点にあり、従って、上記各再熱用熱交換器７Ａ，７Ｂを共に積層型熱交換器３０で構成したこの実施形態の室内機Ｚ４においては、上記第１の実施形態にかかる室内機Ｚ１と同様の作用効果が得られるのに加えて、上記室内機Ｚ４をより薄型に形成してそのコンパクト化を図ることができ、延いては室内機Ｚ４の設置自由度の向上が期待できるものである。
【００６９】
尚、この実施形態では上記利用側熱交換器６と第１再熱用熱交換器７Ａ及び第２再熱用熱交換器７Ｂのうち、該各再熱用熱交換器７Ａ，７Ｂのみを積層型熱交換器３０で構成したものを示しているが、本願発明はかかる構成に限定されるものではなく、例えば上記各再熱用熱交換器７Ａ，７Ｂに加えて、上記利用側熱交換器６をも積層型熱交換器３０で構成することもできるものであり、かかる構成とした場合には上記室内機Ｚ４のコンパクト化がより一層促進されることになる。
【００７０】
（５） 第５の実施形態
図２３には、本願発明の第５の実施形態にかかる室内機Ｚ５を示している。この室内機Ｚ５は、上記第１の実施形態にかかる室内機Ｚ１と基本的構成を同じとするものにおいて、該第１の実施形態にかかる室内機Ｚ１における上記第１再熱用熱交換器７Ａと第２再熱用熱交換器７Ｂとを、それぞれヒーター１５に置き代えた点に構成上の最大の特徴をもつものである。
【００７１】
かかる構成の室内機Ｚ５においては、上記ヒーター１５を再熱器として利用し、「再熱ドライ運転」においては該ヒーター１５の発熱によって空気の再熱を行うものであることから、上記第１の実施形態の室内機Ｚ１の如く比較的効果な熱交換器及び該熱交換器のための冷媒回路を必要とせず、この結果、「再熱ドライ運転」を簡単且つ安価な構成にて実現できるという特有の効果が奏せられるものである。
【図面の簡単な説明】
【００７２】
【図１】本願発明に係る空気調和機の室内機の設置状態を示す斜視図である。
【図２】本願発明の第１の実施形態にかかる室内機における熱交換器の配置構造を示す斜視図である。
【図３】図２に示した室内機を備えた空気調和機の冷媒回路図である。
【図４】図３に示した空気調和機の冷房運転時における動作図である。
【図５】本願発明の第２の実施形態にかかる室内機における熱交換器の配置構造を示す斜視図である。
【図６】図５に示した室内機を備えた空気調和機の冷媒回路図である。
【図７】図６に示した空気調和機の冷房運転時における動作図である。
【図８】本願発明の第３の実施形態にかかる室内機における熱交換器配置構造を示す斜視図である。
【図９】図８に示した室内機を備えた空気調和機の冷媒回路図である。
【図１０】図９に示した空気調和機の冷房運転時における動作図である。
【図１１】本願発明の第４の実施形態にかかる室内機の熱交換器配置構造を示す斜視図である。
【図１２】本願発明の第５の実施形態にかかる室内機の熱交換器配置構造を示す斜視図である。
【符号の説明】
【００７３】
１はケーシング、２は吸込口、３は上面吹出口、４は側面吹出口、５はファン、６は利用側熱交換器、７Ａは第１再熱用熱交換器、７Ｂは第２再熱用熱交換器、９は圧縮機、１０は四路切換弁、１１は室外側熱交換器、１２は主膨張弁、１３は補助膨張弁、１５はヒーター、３０は積層型熱交換器、３１は偏平伝熱管、３２はコルゲートフィン、３３及び３４はヘッダー、５１は室内床面、５２は室壁、５３は窓部、Ａａは吸込空気、Ａｂは上方吹出空気、Ａｃは側方吹出空気、Ｚ０は室外機、Ｚ及びＺ１〜Ｚ５は室内機である。
【図１】
0003589184.tif 000002
【図２】
0003589184.tif 000003
【図３】
0003589184.tif 000004
【図４】
0003589184.tif 000005
【図５】
0003589184.tif 000006
【図６】
0003589184.tif 000007
【図７】
0003589184.tif 000008
【図８】
0003589184.tif 000009
【図９】
0003589184.tif 000010
【図１０】
0003589184.tif 000011
【図１１】
0003589184.tif 000012
【図１２】
0003589184.tif 000013